(57)【要約】【課題】自動的にしおりが付されるページの数が増大することを防止し、ユーザが所望するページをすばやく見つけて表示させることのできる表示制御装置および表示プログラムを提供することを目的とする。【解決手段】第一記憶装置に記憶されたコンテンツファイルに基づいて、文字や画像からなるコンテンツをページごとに表示手段に表示可能な表示制御装置であって、所定の条件を満たしたページを第一しおりページとして設定する第一しおり設定手段と、前記第一しおり設定手段により、第一しおりページとして設定されるページ数を所定数以下に制御する第一しおりページ数制御手段と、前記第一しおりページに対するリンクを一覧にして前記表示手段に表示させる一覧表示制御手段と、前記一覧からいずれかのリンクが選択された場合に、その選択されたリンク先のページを前記表示手段に表示させる表示切替手段とを備える。【選択図】        図９
2007264752.tif 000002
【特許請求の範囲】
【請求項１】
第一記憶装置に記憶されたコンテンツファイルに基づいて、文字や画像からなるコンテンツをページごとに表示手段に表示可能な表示制御装置において、
所定の条件を満たしたページを第一しおりページとして設定する第一しおり設定手段と、
前記第一しおり設定手段により、第一しおりページとして設定されるページ数を所定数以下に制御する第一しおりページ数制御手段と、
前記第一しおりページに対するリンクを一覧にして前記表示手段に表示させる一覧表示制御手段と、
前記一覧からいずれかのリンクが選択された場合に、その選択されたリンク先のページを前記表示手段に表示させる表示切替手段とを備えた表示制御装置。
【請求項２】
前記第一しおりページ数制御手段は、前記コンテンツファイル毎に前記第一しおりページのページ数を所定数以下に制御することを特徴とする請求項１記載の表示制御装置。
【請求項３】
前記第一記憶装置に記憶されたコンテンツファイルの各ページに対して、評価値を設定する評価値設定手段を備え、
前記第一しおり設定手段は、前記評価値が所定の閾値を超えるページを前記第一しおりページとして設定することを特徴とする請求項１または請求項２記載の表示制御装置。
【請求項４】
前記評価値設定手段は、前記コンテンツファイルの各ページに対して設定した評価値を、各ページに対応付けて第二記憶装置に記憶させることを特徴とする請求項１から請求項３のいずれかに記載の表示制御装置。
【請求項５】
前記第一しおり設定手段は、いずれのページを前記第一しおりページとして設定したかを第三記憶装置に記憶させることを特徴とする請求項１から請求項４のいずれかに記載の表示制御装置。
【請求項６】
前記リンクの一覧を前記表示手段に表示させるためのユーザの指示が入力される第一指示入力手段を備え、
前記第一しおり設定手段は、前記第一指示入力手段によりユーザの指示が入力されると、前記第一しおりページを設定し、
前記一覧表示制御手段は、前記第一しおり設定手段によりしおりページが設定された後、前記リンクの一覧を表示させることを特徴とする請求項３から請求項５のいずれかに記載の表示制御装置。
【請求項７】
前記コンテンツファイルの各ページの閲覧時間を計測する閲覧時間計測手段を備え、
前記評価値設定手段は、前記閲覧時間計測手段により計測された前記閲覧時間の累積値を、前記評価値として各ページに対して設定することを特徴とする請求項３から請求項６のいずれかに記載の表示制御装置。
【請求項８】
前記表示手段による表示を拡大する拡大手段を備え、
前記評価値設定手段は、前記拡大手段により拡大された回数の累積値を、前記評価値として各ページに対して設定することを特徴とする請求項３から請求項６のいずれかに記載の表示制御装置。
【請求項９】
前記コンテンツファイルのいずれかのページである第一ページの表示から、その第一ページの一つ前のページである第二ページの表示に切り替えるページ戻り手段を備え、
前記評価値設定手段は、前記第一ページの表示中に前記ページ戻り手段により前記第二ページに切り替えられた回数である戻り回数の累積値を、前記評価値として前記二ページに対して設定することを特徴とする請求項３から請求項６のいずれかに記載の表示制御装置。
【請求項１０】
前記コンテンツファイルの各ページの閲覧時間を計測する閲覧時間計測手段と、
前記表示手段による表示を拡大する拡大手段と、
前記コンテンツファイルのいずれかのページである第一ページの表示から、その第一ページの一つ前のページである第二ページの表示に切り替えるページ戻り手段とを備え、
前記評価値設定手段は、前記閲覧時間計測手段により計測された前記閲覧時間の累積値と前記拡大手段により拡大された回数の累積値と前記第一ページの表示中に前記ページ戻り手段により前記第二ページに切り替えられた回数である戻り回数の累積値とに基づいて算出した算出値を前記評価値として、前記第二ページに対して設定することを特徴とする請求項３から請求項６のいずれかに記載の表示制御装置。
【請求項１１】
各ページに対応して所定の操作が行なわれる度に、その時刻を記憶する時刻記憶手段を備え、
前記評価値設定手段は、前記時刻記憶手段に記憶された各時刻に対して、前記時刻記憶手段に記憶された時刻からの経過時間が短いものほど大きくなるように設定した値を算出し、その算出した値すべてを合計した値を前記評価値として設定することを特徴とする請求項３から請求項６のいずれかに記載の表示制御装置。
【請求項１２】
前記コンテンツファイルのページを第二しおりページとして設定するためのユーザの指示が入力される第二指示入力手段と、
前記コンテンツファイルのいずれかのページの表示中に前記第二指示入力手段に前記指示が入力されたとき、そのページを第二しおりページとして設定する第二しおりページ設定手段とを備え、
前記一覧表示制御手段は、前記第二しおりページに対するリンクと、前記第一しおりページに対するリンクとの両方のリンクを一覧にして表示することを特徴とする請求項１から請求項１１のいずれかに記載の表示制御装置。
【請求項１３】
前記一覧表示制御手段は、前記第二しおりページに対するリンクと、前記第一しおりページに対するリンクとを区別して表示することを特徴とする請求項１２記載の表示制御装置。
【請求項１４】
第一記憶装置に記憶されたコンテンツファイルに基づいて、文字や画像からなるコンテンツをページごとに切換えて表示手段に表示させる表示制御装置のコンピュータを、
所定の条件を満たしたページを第一しおりページとして設定する第一しおり設定手段と、
前記第一しおり設定手段により、第一しおりページとして設定されるページ数を所定数以下に制御する第一しおりページ数制御手段と、
前記第一しおりページに対するリンクを一覧にして前記表示手段に表示させる一覧表示制御手段と、
前記一覧からいずれかのリンクが選択された場合に、その選択されたリンク先のページを前記表示手段に表示させる表示切替手段として機能させる表示プログラム。
【発明の詳細な説明】
【技術分野】
【０００１】
本発明は、表示制御装置及び表示プログラムに関する。
【背景技術】
【０００２】
従来、記憶装置に記憶されたコンテンツファイルに基づいて、文字や画像からなる電子文書等のコンテンツをページごとに切換えて表示手段に表示させる電子ブック等の表示制御装置が知られている。尚、ここでいう表示制御装置とは、画像を表示させる表示手段を一体に備えていてもよいし、デスクトップ型のＰＣのように別体の表示手段に表示させる画像を制御するものでもよい。このような表示制御装置においては、コンテンツのページ数が多くなればなるほど、ユーザが所望するページを探し出すことが困難になる。
【０００３】
特許文献１に記載された画像検索装置では、ユーザにとって重要と思われる画像情報に自動的にしおりを付しておき、ユーザが所望する画像情報を探し出す際に、そのしおりの付された画像情報のタイトルを一覧にして表示させることが記載されている。
【０００４】
特許文献１に記載された画像検索装置では、画像情報の表示出力の回数が所定回数を超えた場合に自動的にしおりが付される。
【０００５】
また、特許文献２にはしおりを自動的に付与する方法として、電子文書のページに対する閲覧時間（表示時間）を計測してその時間が所定の閾値を超えた場合に、そのページに自動的にしおりを付すことが記載されている。
【０００６】
【特許文献１】特開平６−１３１４０１号公報
【特許文献２】特開２００１−１０９７６９号公報
【発明の開示】
【発明が解決しようとする課題】
【０００７】
特許文献１や特許文献２に記載された技術の画像情報にはコンテンツのページという概念はないが、これらの技術を表示制御装置に適用し、コンテンツのページに対して自動的にしおりを付与し、それをしおりの付されたページ一覧表示させることも考えられる。
【０００８】
しかしながら、所定の条件を満たした全てのページにたいして、何の制限もなくしおりを付与していたのでは、しおりの付されたページ数が増大してしまう。このようにしおりの付されたページ数が増大してしまうと、いずれのページが重要であるのかがわからなくなり、結局しおりとしての機能が果たされなくなってしまう。
【０００９】
本発明は、上述した問題点を解決するためになされたものであり、自動的にしおりが付されるページの数が増大することを防止し、ユーザが所望するページをすばやく見つけて表示させることのできる表示制御装置および表示プログラムを提供することを目的とする。
【課題を解決するための手段】
【００１０】
この目的を達成するために、請求項１記載の表示制御装置は、第一記憶装置に記憶されたコンテンツファイルに基づいて、文字や画像からなるコンテンツをページごとに表示手段に表示可能な表示制御装置であって、所定の条件を満たしたページを第一しおりページとして設定する第一しおり設定手段と、前記第一しおり設定手段により、第一しおりページとして設定されるページ数を所定数以下に制御する第一しおりページ数制御手段と、前記第一しおりページに対するリンクを一覧にして前記表示手段に表示させる一覧表示制御手段と、前記一覧からいずれかのリンクが選択された場合に、その選択されたリンク先のページを前記表示手段に表示させる表示切替手段とを備える。
【００１１】
また、請求項２記載の表示制御装置は、請求項１記載の表示制御装置であって、前記第一しおりページ数制御手段は、前記コンテンツファイル毎に前記第一しおりページのページ数を所定数以下に制御することを特徴とする。
【００１２】
また、請求項３記載の表示制御装置は、請求項１または請求項２記載の表示制御装置であって、前記第一記憶装置に記憶されたコンテンツファイルの各ページに対して、評価値を設定する評価値設定手段を備え、前記第一しおり設定手段は、前記評価値が所定の閾値を超えるページを前記第一しおりページとして設定することを特徴とする。
【００１３】
また、請求項４記載の表示制御装置は、請求項１から請求項３のいずれかに記載の表示制御装置であって、前記評価値設定手段は、前記コンテンツファイルの各ページに対して設定した評価値を、各ページに対応付けて第二記憶装置に記憶させることを特徴とする。
【００１４】
また、請求項５記載の表示制御装置は、請求項１から請求項４のいずれかに記載の表示制御装置であって、前記第一しおり設定手段は、いずれのページを前記第一しおりページとして設定したかを第三記憶装置に記憶させることを特徴とする。
【００１５】
また、請求項６記載の表示制御装置は、請求項３から請求項５のいずれかに記載の表示制御装置であって、前記リンクの一覧を前記表示手段に表示させるためのユーザの指示が入力される第一指示入力手段を備え、前記第一しおり設定手段は、前記第一指示入力手段によりユーザの指示が入力されると、前記第一しおりページを設定し、前記一覧表示制御手段は、前記第一しおり設定手段によりしおりページが設定された後、前記リンクの一覧を表示させることを特徴とする。
【００１６】
また、請求項７記載の表示制御装置は、請求項３から請求項６のいずれかに記載の表示制御装置であって、前記コンテンツファイルの各ページの閲覧時間を計測する閲覧時間計測手段を備え、前記評価値設定手段は、前記閲覧時間計測手段により計測された前記閲覧時間の累積値を、前記評価値として各ページに対して設定することを特徴とする。
【００１７】
また、請求項８記載の表示制御装置は、請求項３から請求項６のいずれかに記載の表示制御装置であって、前記表示手段による表示を拡大する拡大手段を備え、前記評価値設定手段は、前記拡大手段により拡大された回数の累積値を、前記評価値として各ページに対して設定することを特徴とする。
【００１８】
また、請求項９記載の表示制御装置は、請求項３から請求項６のいずれかに記載の表示制御装置であって、前記コンテンツファイルのいずれかのページである第一ページの表示から、その第一ページの一つ前のページである第二ページの表示に切り替えるページ戻り手段を備え、前記評価値設定手段は、前記第一ページの表示中に前記ページ戻り手段により前記第二ページに切り替えられた回数である戻り回数の累積値を、前記評価値として前記二ページに対して設定することを特徴とする。
【００１９】
また、請求項１０記載の表示制御装置は、請求項３から請求項６のいずれかに記載の表示制御装置であって、前記コンテンツファイルの各ページの閲覧時間を計測する閲覧時間計測手段と、前記表示手段による表示を拡大する拡大手段と、前記コンテンツファイルのいずれかのページである第一ページの表示から、その第一ページの一つ前のページである第二ページの表示に切り替えるページ戻り手段とを備え、前記評価値設定手段は、前記閲覧時間計測手段により計測された前記閲覧時間の累積値と前記拡大手段により拡大された回数の累積値と前記第一ページの表示中に前記ページ戻り手段により前記第二ページに切り替えられた回数である戻り回数の累積値とに基づいて算出した算出値を前記評価値として、前記第二ページに対して設定することを特徴とする。
【００２０】
また、請求項１１記載の表示制御装置は、請求項３から請求項６のいずれかに記載の表示制御装置であって、各ページに対応して所定の操作が行なわれる度に、その時刻を記憶する時刻記憶手段を備え、前記評価値設定手段は、前記時刻記憶手段に記憶された各時刻に対して、前記時刻記憶手段に記憶された時刻からの経過時間が短いものほど大きくなるように設定した値を算出し、その算出した値すべてを合計した値を前記評価値として設定することを特徴とする。
【００２１】
また、請求項１２記載の表示制御装置は、請求項１から請求項１１のいずれかに記載の表示制御装置であって、前記コンテンツファイルのページを第二しおりページとして設定するためのユーザの指示が入力される第二指示入力手段と、前記コンテンツファイルのいずれかのページの表示中に前記第二指示入力手段に前記指示が入力されたとき、そのページを第二しおりページとして設定する第二しおりページ設定手段とを備え、前記一覧表示制御手段は、前記第二しおりページに対するリンクと、前記第一しおりページに対するリンクとの両方のリンクを一覧にして表示することを特徴とする。
【００２２】
また、請求項１３記載の表示制御装置は、請求項１２記載の表示制御装置であって、前記一覧表示制御手段は、前記第二しおりページに対するリンクと、前記第一しおりページに対するリンクとを区別して表示することを特徴とする。
【００２３】
また、請求項１４記載の表示プログラムは、第一記憶装置に記憶されたコンテンツファイルに基づいて、文字や画像からなるコンテンツをページごとに切換えて表示手段に表示させる表示制御装置のコンピュータを、所定の条件を満たしたページを第一しおりページとして設定する第一しおり設定手段と、前記第一しおり設定手段により、第一しおりページとして設定されるページ数を所定数以下に制御する第一しおりページ数制御手段と、前記第一しおりページに対するリンクを一覧にして前記表示手段に表示させる一覧表示制御手段と、前記一覧からいずれかのリンクが選択された場合に、その選択されたリンク先のページを前記表示手段に表示させる表示切替手段として機能させる。
【発明の効果】
【００２４】
請求項１記載の表示制御装置によれば、第一しおりページとして設定されるページ数が制限されるので、自動的にしおりが付されるページの数が増大することを防止でき、ユーザが所望するページをすばやく見つけて表示させることのできる。
【００２５】
また、請求項２記載の表示制御装置によれば、請求項１記載の表示制御装置が奏する効果に加え、コンテンツファイル毎に、第一しおりページとして設定されるページ数が制限されるので、ユーザが特定のコンテンツファイルだけ頻繁に利用することにより、そのコンテンツファイルに第一しおりページが多数設定されることが防止できる。
【００２６】
また、請求項３記載の表示制御装置によれば、請求項１または請求項２記載の表示制御装置が奏する効果に加え、各ページに対して設定される評価値に基づいて第一しおりページを設定することができる。
【００２７】
また、請求項４記載の表示制御装置によれば、請求項１から請求項３のいずれかに記載の表示制御装置が奏する効果に加え、各ページに対して設定された評価値が各ページに対応付けて第二記憶装置に記憶される。
【００２８】
また、請求項５記載の表示制御装置によれば、請求項１から請求項４のいずれかに記載の表示制御装置が奏する効果に加え、いずれのページが第一しおりページとして設定されたかが第三記憶装置に記憶される。
【００２９】
また、請求項６記載の表示制御装置によれば、請求項３から請求項５のいずれかに記載の表示制御装置が奏する効果に加え、リンクの一覧表示のための指示が入力されたときに、評価値にに基づいて第一しおりページを設定するので、不必要なときに第一しおりページが設定されないので、処理の負荷を軽くすることができる。
【００３０】
また、請求項７記載の表示制御装置によれば、請求項３から請求項６のいずれかに記載の表示制御装置が奏する効果に加え、閲覧時間の累積値が大きいページが第一しおりページとして設定されるので、ユーザが時間をかけてじっくり閲覧したページが第一しおりページとして設定される。
【００３１】
また、請求項８記載の表示制御装置によれば、請求項３から請求項６のいずれかに記載の表示制御装置が奏する効果に加え、拡大された回数の累積値が大きいページが第一しおりページとして設定されるので、ユーザが拡大して表示させ詳細に閲覧した回数が多いページが第一しおりページとして設定される。
【００３２】
また、請求項９記載の表示制御装置によれば、請求項３から請求項６のいずれかに記載の表示制御装置が奏する効果に加え、次のページから戻って表示された回数の累積値が大きいページが第一しおりページとして設定されるので、ユーザが再度注目して閲覧した回数が多いページが第一しおりページとして設定される。
【００３３】
また、請求項１０記載の表示制御装置によれば、請求項３から請求項６のいずれかに記載の表示制御装置が奏する効果に加え、閲覧時間の累積値と、拡大された回数の累積値と、戻り回数の累積値とに基づいて算出された算出値に基づいて第一しおりページが設定されるので、ユーザが所望するページが第一しおりページとして設定される。
【００３４】
また、請求項１１記載の表示制御装置によれば、請求項３から請求項６のいずれかに記載の表示制御装置が奏する効果に加え、比較的現在の時刻に近い時刻に操作された前記所定の操作が多いページが第一しおりページとして設定され易い。昔にのみ操作されたページが第一しおりページとして設定されることを防止することができる。
【００３５】
また、請求項１２記載の表示制御装置によれば、請求項１から請求項１１のいずれかに記載の表示制御装置が奏する効果に加え、第二指示入力手段によりユーザは所望のページを第二しおりページとして設定することができ、一覧表示制御手段によりそのページのリンクが表示されるので、ユーザは所望のページをすばやく表示することができる。
【００３６】
また、請求項１３記載の表示制御装置によれば、請求項１２記載の表示制御装置が奏する効果に加え、ユーザは自分で設定した第二しおりページへのリンクと、自動的に設定された第一しおりページへのリンクとを確認することができる。
【００３７】
また、請求項１４記載の表示プログラムによれば、自動的にしおりが付されるページの数が増大することを防止でき、ユーザが所望するページをすばやく見つけて表示させることのできる。
【発明を実施するための最良の形態】
【００３８】
以下、本発明の実施の形態について図面を参照して説明する。図１は、本発明の第一実施形態である文字や画像からなるコンテンツを表示するための表示制御装置１００を正面から見たときの概観図である。
【００３９】
図１に示すように、表示制御装置１００は、文字又は画像を表示可能な表示パネル２０と、枠体３０と、操作部４０と、読込部９０、手動しおりマーク表示部９８とを備えている。
【００４０】
表示パネル２０は、着色した荷電粒子を分散させた表示液が、２枚のガラス基板の間に封止されることにより構成される電気泳動表示媒体である。表示制御装置１００において、表示パネル２０を構成する２枚のガラス基板の一方の面が、枠体３０の上面側に露出し、表示面を構成する。２枚のガラス基板にそれぞれ設けられた電極（図示せず）に、コンテンツファイルに基づいて電圧を印加することにより、表示液中の荷電粒子を泳動させ、表示面側に泳動された荷電粒子に起因する画像を表示させることができる。このような電気泳動表示媒体は特開２００４−１３１１９号公報に記載されており、説明を省略する。
【００４１】
枠体３０は、表示パネル２０を取り囲む部材であって、その上面には、操作部４０が設けられている。操作部４０は表示パネル２０の下に配置されている。操作部４０は、十字キー４１と、決定ボタン４２と、目次ボタン４３、拡大ボタン４４、手動しおり付与ボタン４５、しおり一覧ボタン４６とで構成されている。右から順番に十字キー４１、決定ボタン４２、目次ボタン４３、拡大ボタン４４、手動しおり付与ボタン４５、しおり一覧ボタン４６とが所定の間隔をあけて並べられている。
【００４２】
十字キー４１は、後述するキー入力待機処理において、表示させるコンテンツファイルを選択する操作を行なうためのキーである。
【００４３】
決定ボタン４２は、後述するキー入力待機処理において、表示させるコンテンツファイルを決定する操作を行なうためのキーである。
【００４４】
目次ボタン４３は、後述するキー入力待機処理において、後述する目次画像を表示させる操作を行なうためのキーである。
【００４５】
拡大ボタン４４は、後述するキー入力待機処理において、後述する拡大画像を表示させる操作を行うためのキーである。
【００４６】
手動しおり付与ボタン４５は、後述するキー入力待機処理において、手動しおりフラグを設定するためのキーである。
【００４７】
しおり一覧ボタン４６は、後述するキー入力待機処理において、後述するしおり一覧画像を表示させる操作を行うためのキーである。
【００４８】
読込部９０は正面から見たときの枠体３０の下面の右側に配置される。読込部９０は、後述するコンテンツファイル及びしおり付与テーブル３００を記憶した記憶媒体２００から、コンテンツファイルを読込む。記憶媒体２００は読込部９０に着脱可能に装着される。
【００４９】
手動しおりマーク表示部９８は表示パネル２０の左上に配置され、後述の手動しおりマーク９９が表示される。
【００５０】
図２は表示制御装置１００の電気的構成を示すブロック図である。図２に示すように、表示制御装置１００は、ＣＰＵ５０、ＲＯＭ５１、ＲＡＭ５２、読込部９０、操作部４０、時計６０、及び、表示パネル２０を備えている。
【００５１】
ＣＰＵ５０は後述するメイン処理等を実行する。ＲＯＭ５１にはＣＰＵ５０に、メイン処理を実行させるための各種プログラムが記憶されている。
【００５２】
ＲＡＭ５２は、ＣＰＵ５０が上述の処理を実行するために利用される作業領域と所定の情報を記憶する記憶領域とを備えている。
【００５３】
時計６０は、現在の時刻を計測する機能を備える。
【００５４】
記憶媒体２００は、複数のコンテンツファイルとしおり付与テーブル３００を記憶している。
【００５５】
ここで、表示制御装置１００で使用されるコンテンツファイルの構成について説明する。図３に記憶媒体２００に記憶されているコンテンツファイルの一例の構成を示す模式図を示す。本実施形態におけるコンテンツファイルはインデックスとページデータ群とからなる。
【００５６】
インデックスは、コンテンツファイルの名称、ページ数等の情報を備える。
【００５７】
ページデータ群はページ単位のデータである複数のページデータから構成されている。図３に示す一例のコンテンツファイルのページデータ群は、ページデータ１ｐ〜１０ｐを備える。
【００５８】
各々のページデータは、表示パネル２０に表示させる１ページ分の文字や画像に対応するデータである。ページデータはビットマップ形式のデータのように、各画素に対応して階調と色との情報を備えたデータであってもよいし、テキスト形式のデータのように文字コードの情報だけを備えたデータであってもよいし、またそれらの組み合わせであってもよい。即ち、ここでは最終的に表示パネル２０において１ページ分の文字や画像として出力されるデータのことをページデータと称する。
【００５９】
記憶媒体２００に記憶されているしおり付与テーブル３００の構成について説明する。図４はしおり付与テーブル３００の構成を模式的に示す模式図である。
【００６０】
図４に示すように、記憶媒体２００に記憶されている各コンテンツファイルの各ページに対応して、「総閲覧時間」、「拡大操作回数」、「戻る操作回数」、「評価値」、「自動しおりフラグ」、「手動しおりフラグ」の情報がそれぞれ記憶されている。
【００６１】
「総閲覧時間」は、そのページが閲覧された時間の累積値が記憶される領域である。「拡大操作回数」は、拡大操作が行なわれた回数の累積値が記憶される領域である。「戻る操作回数」は、戻る操作が行なわれた回数の累積値が記憶される領域である。「評価値」は、「総閲覧時間」、「拡大操作回数」、「戻る操作回数」の値に基づいて算出される評価値が記憶される領域である。尚、評価値とは、後述する処理において各ページに対して自動しおりフラグが立てられるときの判断に使用される値であり、この値が大きいものから自動しおりフラグが立てられる。「自動しおりフラグ」は、後述の自動しおりフラグが設定される領域である。「手動しおりフラグ」は、後述の手動しおりフラグが設定される領域である。
【００６２】
次に、ユーザにより上述の各操作部４０が操作された場合における、表示制御装置１００の動作について説明する。
【００６３】
ユーザによって図示しない電源ボタンが押下さて電源がＯＮされると、表示制御装置１００は、先ず目次画像を表示する。図５に表示パネル２０に目次画像を表示した表示制御装置１００の正面図を示す。
【００６４】
図５に示すように目次画像では、記憶媒体２００に記憶されているコンテンツファイルの一覧が表示される。
【００６５】
電源がＯＮされた直後の目次画像では、一番上のコンテンツファイルが反転表時されており、十字キー４１の上方向若しくは下方向のいずれかが押下されることにより、その押下された方向に伴って、反転表時されるコンテンツファイルが変更される。
【００６６】
この目次画像の表示中に決定ボタン４２が押下されると、反転表示されているコンテンツファイルの内容を表示するコンテンツ画像が表示パネル２０に表示される。図６に表示パネル２０にコンテンツ画像を表示した表示制御装置１００の正面図を示す。
【００６７】
決定ボタン４２が押下された直後は、選択されたコンテンツファイルの１ページ目が表示される。
【００６８】
このコンテンツ画像の表示中に十字キー４１の右方向若しくは左方向のいずれかが押下されることにより、その押下された方向に伴って表示パネル２０に表示されるページが切り替わる。
【００６９】
十字キー４１の右方向が押下された場合は次のページが表示され、十字キー４１の左方向が押下された場合は一つ前のページが表示される。尚、１ページ目の表示中に十字キー４１の左方向が押下された場合は最後のページが表示され、最後のページの表示中に十字キー４１の右方向が押下された場合は１ページ目が表示される。
【００７０】
また、コンテンツ画像の表示中に拡大ボタン４４が押下された場合は、表示中のページを拡大して表示する拡大表示画像が表示される。表示パネル２０に拡大表示画像を表示した表示制御装置１００の正面図を図７に示す。図７に示したように拡大表示の際に９０℃回転した状態で表示させても良い。
【００７１】
図７に示すように、拡大表示画像では各ページに対して予め設定されている、そのページの所定の範囲の拡大画像が表示される。この拡大表示画像を表示中に十字キー４１の左右方向が操作されることにより、標準の大きさの他のページ（右方向が押下された場合は次のページ、左方向が押下された場合は一つ前のページ）の表示に切り替わる。
【００７２】
拡大表示画像の表示中に拡大ボタン４４が押下された場合は拡大表示が中止され、標準の大きさでのページの表示に戻る。
【００７３】
また、上述したコンテンツ画像の表示中に手動しおり付与ボタン４５が押下されるとそのページに対して、しおり付与テーブル３００の「手動」の欄に手動しおりフラグがセットされる。この手動しおり付与ボタン４５の操作によりしおりが付されたページの表示中には、手動しおりマーク表示部９８に手動しおりマーク９９が表示される。この手動しおりマーク９９が印されたページを表示パネル２０に表示した表示制御装置１００の正面図を図８に示す。
【００７４】
尚、表示中のページに既に手動しおりフラグがセットされている場合に手動しおり付与ボタン４５が押下されると、そのページに対しての手動しおりフラグが削除され、手動しおりマーク９９もそのページから削除される。
【００７５】
また、上述した目次画像、コンテンツ画像、拡大画像のいずれかの画像を表示中に、しおり一覧ボタン４６が押下された場合、自動しおりフラグもしくは手動しおりフラグがセットされたページのタイトルを一覧表示したしおり一覧画像が表示される。
【００７６】
図９にしおり一覧画像を表示した表示制御装置１００の正面図を示す。図９に示すように、しおり一覧画像が表示された直後は一番上に表示されるページのタイトルが反転表示されている。
【００７７】
しおり一覧画像の表示中に、十字キー４１の上方向若しくは下方向が押下されることにともなって、反転表示されるタイトルが変更される。また、しおり一覧画像の表示中に決定ボタン４２が押下されることにより、反転表示されたタイトルに対応するページの表示に切換えられる。
【００７８】
次に、表示制御装置１００の動作についてフローチャートを用いて詳細に説明する。図１０は表示媒体１００のＣＰＵ５０が行なうメイン処理のフローチャートである。
【００７９】
ユーザによって図示しない電源ボタンが押下され、表示制御装置１００の電源がＯＮされると、ＣＰＵ５０は図１０に示すメイン処理を開始する。
【００８０】
メイン処理を開始すると、ＣＰＵ５０は先ず読込部９０に接続されている記憶媒体２００に記憶されている各コンテンツファイルの一覧の画像である上述の目次画像を表示させる（ステップ１、以下ステップを単にＳと称す）。
【００８１】
次に電源ボタンが再び押下されるか否かを判断する（Ｓ２）。電源ボタンが押下されない場合は（Ｓ２：ＮＯ）、後述のキー入力待機処理を実行する（Ｓ３）。
【００８２】
キー入力待機処理を終了した後、コンテンツを表示中か否かを判断する（Ｓ４）。コンテンツを表示中であると判断した場合は（Ｓ４：ｙｅｓ）、しおり付与テーブル３００の現在表示中のページに対応する「総閲覧時間」を更新する（Ｓ５）。このとき、現在の時刻を時計６０から取得して、過去にこのＳ５で取得し、ＲＡＭ５２に記憶させておいた時刻を読み出し、ＲＡＭ５２に記憶されている時刻から現在の時刻がどれだけ経過したかを算出し、その経過時間を閲覧時間として表示されているページの総閲覧時間に加算する。そしてＲＡＭ５２に記憶させる時刻を、時計６０から取得した時刻に更新してＳ２へ戻る。
【００８３】
コンテンツを表示中でないと判断した場合は、ＲＡＭ５２に記憶されている時刻をｎｕｌｌ状態に初期化して（Ｓ４：ｎｏ）、Ｓ２へ戻る。
【００８４】
Ｓ２において、電源ボタンが押下されたと判断した場合は（Ｓ２：ＹＥＳ）、メイン処理が終了され、表示制御装置１００の電源がＯＦＦされる。
【００８５】
次に、メイン処理（図１０参照）のキー入力待機処理（Ｓ３）について説明する。図１１はキー入力待機処理のフローチャートである。
【００８６】
図１１に示すようにキー入力待機処理を実行すると先ず、十字キーの上下操作が行なわれたか否か、即ち、十字キー４１の上方向若しくは十字キー４１の下方向が押下されたか否かを判断する（Ｓ１０１）。十字キー４１の上下操作が行なわれたと判断した場合（Ｓ１０１：ｙｅｓ）、後述する十字キーの上下操作処理（Ｓ１０２）を実行し、メイン処理に戻る。
【００８７】
十字キー４１の上下操作が行なわれなかったと判断した場合は（Ｓ１０１：ｎｏ）、決定ボタン操作が行なわれたか否か、即ち、決定ボタン４２が押下されたか否かを判断する（Ｓ１０３）。決定ボタン操作が行なわれたと判断した場合は（Ｓ１０３：ｙｅｓ）、後述する決定ボタン操作処理（Ｓ１０４）を実行し、メイン処理に戻る。
【００８８】
決定ボタン操作が行なわれなかったと判断した場合は（Ｓ１０３：ｎｏ）、十字キーの左右操作が行なわれたか否か、即ち、十字キー４１の左方向若しくは十字キー４１の右方向が押下されたか否かを判断する（Ｓ１０５）。十字キーの左右操作が行なわれたと判断した場合は（Ｓ１０５：ｙｅｓ）、後述のページめくり実行処理（Ｓ１０６）を実行し、メイン処理に戻る。
【００８９】
十字キーの左右操作が行なわれなかったと判断した場合は（Ｓ１０５：ｎｏ）、目次表示操作が行なわれたか否か、即ち、目次ボタン４３が押下されたか否かを判断する（Ｓ１０７）。目次表示操作が行なわれたと判断した場合は（Ｓ１０７：ｙｅｓ）、上述の目次画像を表示させ（Ｓ１０８）、メイン処理に戻る。
【００９０】
目次表示操作が行なわれなかったと判断した場合は（Ｓ１０７：ｎｏ）、拡大表示操作が行なわれたか否か、即ち、拡大ボタン４４が押下されたか否かを判断する（Ｓ１０９）。拡大表示操作が行なわれたと判断した場合（Ｓ１０９：ｙｅｓ）、後述の拡大表示操作処理（Ｓ１１０）を実行し、メイン処理に戻る。
【００９１】
拡大表示操作が行なわれなかったと判断した場合は（Ｓ１０９：ｎｏ）、手動しおり付与操作が行なわれたか否か、即ち、手動しおり付与ボタン４５が押下されたか否かを判断する（Ｓ１１１）。手動しおり付与操作が行なわれたと判断した場合（Ｓ１１１：ｙｅｓ）、手動しおり付与処理（Ｓ１１２）を実行し、メイン処理に戻る。
【００９２】
手動しおり付与操作が行なわれなかったと判断した場合（Ｓ１１１：ｎｏ）、しおり一覧表示操作が行なわれたか否か、即ち、しおり一覧ボタン４６が押下されたか否かを判断する（Ｓ１１３）。しおり一覧表示操作が行なわれたと判断した場合（Ｓ１１３：ｙｅｓ）、しおり一覧表示処理（Ｓ１１４）を実行し、メイン処理に戻る。
【００９３】
しおり一覧表示操作が行なわれなかったと判断した場合（Ｓ１１３：ｎｏ）、そのままメイン処理に戻る。
【００９４】
十字キーの上下操作処理について説明する。図１２は十字キーの上下操作処理のフローチャートである。
【００９５】
十字キーの上下操作処理を開始すると先ず、表示パネル２０に目次画像を表示中か否かを判断する（Ｓ２０１）。目次画像を表示中であると判断した場合は（Ｓ２０１：ｙｅｓ）、反転表示され選択されているコンテンツを更新し（Ｓ２０２）、キー入力待機処理に戻る。例えば、図５に示したような、「書籍Ａ」が反転表示されている目次画像表示中に、Ｓ１０１において十字キー４１の下方向が押下された場合は、Ｓ２０２において選択中のコンテンツを一つ下に移動して、「書籍Ｂ」が反転表示される。
【００９６】
目次画像を表示中でない場合は（Ｓ２０１：ｎｏ）、しおり一覧画像を表示中であるか否かを判断する（Ｓ２０３）。しおり一覧画像を表示中である場合は（Ｓ２０３：ｙｅｓ）、選択され反転表示されているページのタイトルを更新して（Ｓ２０４）、キー入力待機処理に戻る。例えば、図９に示すように「書籍Ａ  ３Ｐ」が反転表示されているしおり一覧画像を表示中にＳ１０１において十字キー４１の下方向が押下された場合は、Ｓ２０４において選択中のページのタイトルを一つしたに移動して、「書籍Ａ  ４Ｐ」が反転表示される。
【００９７】
しおり一覧画像を表示中で無い場合は（Ｓ２０３：ｎｏ）、そのままキー入力待機処理に戻る。
【００９８】
決定ボタン操作処理について説明する。図１３は決定ボタン処理のフローチャートである。決定ボタン操作処理を開始すると先ず、目次画像を表示中であるか否かを判断する（Ｓ４０１）。目次画像を表示中である場合は（Ｓ４０１：ｙｅｓ）、反転表示されているコンテンツの１ページ目のページデータを表示パネル２０に表示させ（Ｓ４０２）、キー入力待機処理に戻る。
【００９９】
目次画像を表示中で無い場合は（Ｓ４０１：ｎｏ）、しおり一覧画像を表示中であるか否かを判断する（Ｓ４０３）。しおり一覧画像を表示中である場合は（Ｓ４０３：ｙｅｓ）、選択中のタイトルに対応するページのページデータを表示させ（Ｓ４０４）キー入力待機処理に戻る。
【０１００】
しおり一覧画像を表示中でないと判断した場合は（Ｓ４０３：ｎｏ）、そのままキー入力待機処理に戻る。
【０１０１】
ページめくり実行処理について説明する。図１４はページめくり実行処理のフローチャートである。ページめくり実行処理を開始すると先ず、コンテンツファイルのいずれかのページを表示中であるか否かを判断する（Ｓ６０１）。
【０１０２】
コンテンツファイルのいずれかのページを表示中でないと判断した場合は（Ｓ６０１：ｎｏ）、そのままキー入力処理に戻る。
【０１０３】
コンテンツファイルのいずれかのページを表示中であると判断した場合は（Ｓ６０１：ｙｅｓ）、Ｓ１０５で押下された十字キー４１の方向に応じて、表示させるページデータを変更する（Ｓ６０２）。例えば、２ページ目のページデータを表示しているときに、Ｓ１０５において十字キー４１の右方向が押下された場合は、次のページである３ページ目のページデータを表示パネル２０に表示させる。また、２ページ目のページデータを表示しているときに、Ｓ１０５において十字キー４１の左方向が押下された場合は、前のページである１ページ目のページデータを表示パネル２０に表示させる。尚、Ｓ６０１の段階で、表示パネル２０には図７に示したように拡大表示画像が表示されている場合がある。この場合は、十字キー４１の左右方向の操作にともなって、他のページの標準の大きさの画像が表示される。
【０１０４】
このように表示させるページデータを更新した後、上述のＳ１０５において一つ前のページに戻る操作が行なわれたか否か、即ち、十字キー４１の押下された方向が左方向であるか否かを判断する（Ｓ６０３）。Ｓ１０５で戻る操作が行なわれたと判断した場合は（Ｓ６０３：ｙｅｓ）、現在表示中のページに対応するしおり付与テーブル３００の「戻る操作回数」を１増加して（Ｓ６０４）、キー入力待機処理に戻る。
【０１０５】
例えば、４ページ目を表示中にＳ１０５において戻る操作が行なわれた場合、Ｓ６０４において現在表示中のページは３ページ目であるので、Ｓ６０４では３ページに対応する「戻る操作回数」が１増加される。
【０１０６】
Ｓ１０５の段階で戻る操作が行なわれなかったと判断した場合は（Ｓ６０３：ｎｏ）、そのままキー入力処理へ戻る。
【０１０７】
拡大表示操作処理について説明する。図１５は拡大表示操作処理のフローチャートである。拡大表示操作処理を実行すると先ず、コンテンツファイルのいずれかのページを表示中であるか否かを判断する（Ｓ１００１）。
【０１０８】
コンテンツファイルのいずれかのページを表示中でないと判断した場合は（Ｓ１００１：ｎｏ）、そのままキー入力待機処理に戻る。
【０１０９】
コンテンツファイルのいずれかのページを表示中であると判断した場合は（Ｓ１００１：ｙｅｓ）、そのページが既に拡大表示されているか否かを判断する（Ｓ１００２）。
【０１１０】
図７に示したように拡大表示されている場合は（Ｓ１００２：ｙｅｓ）、そのページの表示させる大きさを標準の大きさに戻して（Ｓ１００５）、キー入力処理へ戻る。
【０１１１】
拡大表示されていない場合は（Ｓ１００５：ｎｏ）、現在表示中のページを拡大表示させ（Ｓ１００３）、しおり付与テーブルの現在表示中のページに対応する「拡大操作回数」を１増加させて（Ｓ１００４）、キー入力待機処理に戻る。
【０１１２】
手動しおり付与処理について説明する。図１６は手動しおり付与処理のフローチャートである。先ず、手動しおり付与処理を開始すると、コンテンツファイルのいずれかのページを表示中であるか否かを判断する（Ｓ１２０１）。
【０１１３】
コンテンツファイルのいずれかのページを表示中でないと判断した場合は（Ｓ１２０１：ｎｏ）、キー入力待機処理に戻る。
【０１１４】
コンテンツファイルのいずれかのページを表示中であると判断した場合は（Ｓ１２０１：ｙｅｓ）、現在表示中のページの手動しおりフラグが立っているか否かを、しおり付与テーブル３００を参照して判断する（Ｓ１２０２）。
【０１１５】
手動しおりフラグが立っていない場合は（Ｓ１２０２：ｎｏ）、しおり付与テーブル３００において、そのページに対する手動しおりフラグを立て（Ｓ１２０３）、そのページに手動しおりマーク９９を印し（Ｓ１２０４）、キー入力待機処理に戻る。尚、ここで手動しおりマーク９９を印すとは、上述の手動しおりマーク表示部９８に手動しおりマーク９９を表示することを言う。
【０１１６】
手動しおりフラグが立っている場合は（Ｓ１２０２：ｙｅｓ）、しおり付与テーブル３００において、そのページの手動しおりフラグを削除し（Ｓ１２０５）、そのページの手動しおりマーク９９を削除し（Ｓ１２０６）、キー入力待機処理に戻る。
【０１１７】
このようにして書籍Ａの３ページ目を表示中に手動しおり付与ボタンが押下され、「手動しおりフラグ」が立てられたしおり付与テーブル３００を図１７に示す。図１７のしおり付与テーブル３００は３ページに対して手動しおりフラグが立てられている。尚、図１７中ではフラグが立っている状態を○印で示し、フラグが立っていない状態を×印で示す。
【０１１８】
しおり一覧表示処理について説明する。図１８はしおり一覧表示処理のフローチャートである。先ず、しおり一覧表示処理を実行すると、後述の自動しおり付与処理を実行し、記憶媒体２００に記憶されている全てのコンテンツファイルのすべてのページに対して自動しおりフラグの設定を行なう（Ｓ１４０１）。
【０１１９】
次に、後述のしおりリストの生成処理を実行し、しおりフラグが付されたページのリストであるしおりリストを作成する（Ｓ１４０２）。
【０１２０】
そして、しおりリストに基づいて、しおり一覧画像を表示パネル２０に表示させ（Ｓ１４０３）、キー入力待機処理に戻る。
【０１２１】
ここで、手動しおり付与処理について説明する。図１９は自動しおり付与処理のフローチャートである。自動しおり付与処理を開始すると先ず、変数ｃに０をセットする（Ｓ１４１）。
【０１２２】
変数ｃが、記憶媒体２００に記憶されている全コンテンツの数よりも小さいか否かを判断する（Ｓ１４２）。変数ｃが全コンテンツの数よりも小さくない場合は（Ｓ１４１：ｎｏ）、しおり一覧表示処理に戻る。
【０１２３】
変数ｃが全コンテンツの数よりも小さい場合は（Ｓ１４１：ｙｅｓ）、評価値の計算処理を実行する（Ｓ１４３）。この処理では、一つのコンテンツファイル内の全てのページに対して、しおり付与テーブル３００に記憶されている「総閲覧時間」、「拡大操作回数」、「戻る操作回数」に基づいて、「評価値」を算出する。評価値の計算処理の詳細は後述する。
【０１２４】
次に、その算出された「評価値」に基づいて、そのコンテンツファイルの各ページに対して自動しおりフラグを設定するしおり付与処理を実行する（Ｓ１４４）。しおり付与処理の詳細は後述する。
【０１２５】
次に変数ｃを１増加させ（Ｓ１４５）、Ｓ１４２に戻る。このようにＳ１４２において変数ｃが全コンテンツ数よりも小さくないと判断されるまで、Ｓ１４２からＳ１４５までの処理が繰り替えされる。即ち、Ｓ１４２からＳ１４５までの処理が全てのコンテンツの数だけ繰り返されることにより、全てのコンテンツファイルの各ページに対して自動しおりフラグが設定されることになる。Ｓ１４２からＳ１４５までのループの処理では、しおり付与テーブル３００の上のコンテンツファイルから順番に処理される。
【０１２６】
次に、評価値の計算処理について説明する。図２０は評価値の計算処理のフローチャートである。評価値の計算処理を開始すると、変数ｉに０をセットする（Ｓ４３１）。次に変数ｉが、現在処理中のコンテンツファイルの全ページ数よりも小さいか否かを判断する（Ｓ４３２）。
【０１２７】
変数ｉが、全ページ数よりも小さくないと判断した場合は（Ｓ４３２：ｎｏ）、自動しおり付与処理に戻る。
【０１２８】
変数ｉが、全ページ数よりも小さいと判断した場合は（Ｓ４３２：ｙｅｓ）、（ｉ＋１）ページ目のページの「評価値」を算出して、しおり付与テーブル３００に記憶する（Ｓ４３３）。ここで、「評価値」は、しおり付与テーブル３００に記憶されている「総閲覧時間」、「拡大操作回数」、「戻る操作回数」に基づいて算出される。具体的には、「評価値」の値は、「総閲覧時間」の値と、「拡大操作回数」の値を１０倍した値と、「戻る操作回数」の値を１０倍した値と、を総和した値として算出する。尚、ここでは「総閲覧時間」の重みを１倍、「拡大操作回数」の重みを１０倍、「戻る操作回数」の重みを１０倍として算出したが、これらの重みは適宜設定を変更しても良い。
【０１２９】
「評価値」を算出した後、変数ｉを１増加して（Ｓ４３４）、Ｓ４３２へ戻る。Ｓ４３２において、変数ｉが、全ページ数よりも小さくなるまで、Ｓ４３２からＳ４３４までの処理が繰り替えされることにより、全ページに対する「評価値」が算出されることになる。
【０１３０】
しおり付与処理について説明する。図２１はしおり付与処理のフローチャートである。しおり付与処理を開始すると、先ず、「評価値」が大きい順にページをソートした評価値順リストを作成する。
【０１３１】
図４のしおり付与テーブル３００に示した書籍Ａに対して作成した評価値順リストを図２２に示す。このように評価値順リストには「評価値」の大きいページから順番に並べられる。
【０１３２】
次に、しおり付与テーブル３００の「自動しおりフラグ」の初期化を行なって、全てのページに対する自動しおりフラグがたっていない状態にする（Ｓ４４２）。次に変数ｉに０をセットする（Ｓ４４３）。
【０１３３】
次に変数ｉが最大しおり数より小さいか否かを判断する（Ｓ４４４）。ここで、最大しおり数とは、予め設定されている自動しおりフラグを立てることのできるページ数のことである。この最大しおり数は、予め設定された定数であってもよいし、例えば、全ページ数の１／３以下の整数のうち最大の整数であっても良い。
【０１３４】
ここでは、全ページ数の１／３以下の整数のうち最大の整数を最大しおり数として説明する。例えば、書籍Ａでは全ページ数が１０であるので、最大しおり数は３となる。
【０１３５】
変数ｉが最大しおり数よりも小さくないと判断した場合は（Ｓ４４４：ｎｏ）、自動しおり付与処理に戻る。
【０１３６】
変数ｉが最大しおり数よりも小さいと判断した場合は（Ｓ４４４：ｙｅｓ）、評価値順リストの（ｉ＋１）番目のページに対する「評価値」が、予め設定されている閾値以上か否かを判断する（Ｓ４４５）。「評価値」が閾値以上でないと判断した場合は（Ｓ４４５：ｎｏ）、変数ｉを１増加してＳ４４４に戻る。
【０１３７】
「評価値」が閾値以上であると判断した場合は（Ｓ４４５：ｙｅｓ）、評価値順リストの（ｉ＋１）番目のページに対して「自動しおりフラグ」と立てて（Ｓ４４６）、Ｓ４４７へ進む。
【０１３８】
このように、Ｓ４４４からＳ４４７までの処理が最大しおり数だけ繰り返されることにより、評価値の大きいものから、最大しおり数以下の数だけ自動しおりフラグが立てられる。
【０１３９】
このようにして書籍Ａに対して「自動しおりフラグ」が立てられたしおり付与テーブル３００を図２３に示す。図２３に示したしおり付与テーブル３００には、評価値順リストの上位３つのページである１０ページ、４ページ、７ページに対してしおりフラグが立てられている。尚、図２３中ではフラグが立っている状態を○印で示し、フラグが立っていない状態を×印で示す。
【０１４０】
次にしおりリストの生成処理について説明する。図２４はしおりリストの生成処理のフローチャートである。
【０１４１】
先ず、しおりリストを初期化する（Ｓ２４１）。次に変数ｉに０をセットして（Ｓ２４２）、変数ｉが、記憶媒体２００に記憶されているコンテンツの全コンテンツ数よりも小さいか否かを判断する（Ｓ２４３）。
【０１４２】
変数ｉが全コンテンツ数よりも小さくないと判断した場合は（Ｓ２４３：ｎｏ）、しおり一覧表示処理に戻る。
【０１４３】
変数ｉが全コンテンツ数よりも小さいと判断した場合は（Ｓ２４３：ｙｅｓ）、変数ｊに０をセットして（Ｓ２４４）、変数ｊが、しおり付与テーブル３００の（ｉ＋１）番目のコンテンツファイルの全ページ数よりも小さいか否かを判断する（Ｓ２４５）。
【０１４４】
変数ｊが、（ｉ＋１）番目のコンテンツファイルの全ページ数よりも小さくない場合は（Ｓ２４５：ｎｏ）、変数ｉを１増加して（Ｓ２５１）、Ｓ２４３へ戻る。
【０１４５】
変数ｊが、（ｉ＋１）番目のコンテンツファイルの全ページ数よりも小さい場合は（Ｓ２４５：ｙｅｓ）、（ｉ＋１）番目のコンテンツファイルの（ｊ＋１）ページ目に対して手動しおりフラグが立っているか否かを判断する（Ｓ２４６）。
【０１４６】
手動しおりフラグが立っている場合は（Ｓ２４６：ｙｅｓ）、しおりリストに（ｉ＋１）番目のコンテンツファイルの（ｊ＋１）ページ目を追加する（Ｓ２４７）。そして変数ｊを１増加して（Ｓ２５０）、Ｓ２４５へ戻る。
【０１４７】
手動しおりフラグが立っていない場合は（Ｓ２４６：ｎｏ）、（ｉ＋１）番目のコンテンツファイルの（ｊ＋１）ページ目に対して自動しおりフラグが立っているか否かを判断する（Ｓ２４８）。
【０１４８】
自動しおりフラグが立っている場合は（Ｓ２４８：ｙｅｓ）、しおりリストに（ｉ＋１）番目のコンテンツファイルの（ｊ＋１）ページ目を追加する（Ｓ２４９）。そして変数ｊを１増加して（Ｓ２５０）、Ｓ２４５へ戻る。
【０１４９】
自動しおりフラグが立っていない場合は（Ｓ２４８：ｎｏ）、変数ｊを１増加して（Ｓ２５０）、Ｓ２４５へ戻る。
【０１５０】
Ｓ２４３からＳ２５１までの処理が繰り返されることにより、記憶媒体２００に記憶された全てのコンテンツファイルに対してＳ２４５からＳ２５０までの処理が実行されることになる。
【０１５１】
また、Ｓ２４５からＳ２５０までの処理が繰り返されることにより、各コンテンツファイル毎の全てのページに対して、しおりリストに追加する処理が実行されることになる。
【０１５２】
しおりリストの生成処理により生成されるしおりリストの一例を図２５に示す。上述のしおり一覧表示処理（図１８参照）のＳ１４０３では、このしおりリストに基づいて、図９に示したようなしおり一覧画像が表示される。
【０１５３】
第一実施形態における記憶媒体２００が第一記憶装置、第二記憶装置及び第三記憶装置に相当する。また、表示パネル２０が表示手段に相当する。また、自動しおりフラグが立てられたページが第一しおりページに相当する。また、Ｓ４４６において自動しおりフラグをたてるＣＰＵ５０が第一しおり設定手段に相当する。また、Ｓ４４４において変数ｉが最大しおり数よりも小さいか否かを判断するＣＰＵ５０が第一しおりページ数制御手段に相当する。また、Ｓ１４０３においてしおり一覧画像を表示させるＣＰＵ５０が一覧表示制御手段に相当する。また、しおり一覧画像で表示されるページのタイトルがリンクに相当する。また、Ｓ４０４において選択中のタイトルに対応するページのページデータを表示させるＣＰＵ５０が表示切替手段に相当する。また、Ｓ１４３において評価値を計算するＣＰＵ５０が、評価値設定手段に相当する。また、しおり一覧ボタン４６が第一指示入力手段に相当する。また、時計６０が閲覧時間計測手段に相当する。また、Ｓ１００３において拡大表示させるＣＰＵ５０が拡大手段に相当する。また、十字キー４１の左方向が押下された場合に、Ｓ６０２において一つ前のページを表示させるＣＰＵ５０がページ戻り手段に相当する。また、手動しおりフラグが立てられたページが第二しおりページに相当する。また、手動しおり付与ボタン４５が第二指示入力手段に相当する。
【０１５４】
次に第二実施形態について説明する。上述の第一実施形態では図９に示したようにしおり一覧画像の表示の際に、手動しおりフラグが立てられているページと自動しおりフラグが立てられているページとを区別せずに表示させたが、図２６に示すように手動しおりフラグが立てられているページと、自動しおりフラグのみがたれられているページとを区別して表示させる。
【０１５５】
図２６に示す例では、ページのタイトルの左に、手動しおりフラグが立てられていることを示す「手」の文字、若しくは、自動しおりフラグのみが立てられていることを示す「自」の文字が表示される。
【０１５６】
第二実施形態における表示制御装置１００の外観及び電気的構成は第一実施形態における表示制御装置１００の構成と同様であるので説明を省略する。また、その動作についても第一実施形態と同様のものについては説明を省略する。以下、第一実施形態と異なる部分についてのみ説明する。
【０１５７】
図２７は第二実施形態におけるしおり一覧表示処理のフローチャートである。図１８に示した第一実施形態におけるしおり一覧表示処理と異なるところは、しおり自動付与処理（Ｓ４０１）を実行した後、後述するしおりリストの生成処理を実行し（Ｓ２４０２）、Ｓ２４０２で生成したしおりリストに基づいて、上述の「手」の文字と「自」の文字とを明示した、しおり一覧画像を表示するところである（Ｓ２４０３）。
【０１５８】
第二実施形態におけるしおりリストの生成処理について説明する。第二実施形態におけるしおりリストの生成処理のフローチャートを図２８に示す。
【０１５９】
第一実施形態におけるＳ２４７とＳ２４９（図２４参照）が、第二実施形態では異なる。Ｓ２４７の代わりに後述のＳ２２４７を実行し、Ｓ２４９の代わりに後述のＳ２２４９を実行する。
【０１６０】
第一実施形態のＳ２４７では、単に（ｊ＋１）ページ目をしおりリストに追加しただけであるが、第二実施形態のＳ２２４７では、（ｊ+１）ページ目をしおりリストに追加すると共に、それに対応させて手動しおりフラグが立てられていることを示す情報をしおりリストに追加する（Ｓ２２４７）。
【０１６１】
また、第二実施形態のＳ２４９では、単に（ｊ＋１）ページ目をしおりリストに追加しただけであるが、第二実施形態のＳ２２４９では、（ｊ+１）ページ目をしおりリストに追加すると共に、それに対応させて自動しおりフラグのみが立てられていることを示す情報をしおりリストに追加する（Ｓ２２４９）。
【０１６２】
このように第二実施形態におけるしおりリスト生成処理により生成されるしおりリストを図２９に示す。図２９に示すように第二実施形態におけるしおりリストには各ページに対応させて、手動しおりフラグが立てられていることを示す情報若しくはそれに対応させて自動しおりフラグのみが立てられていることを示す情報が記憶されている。尚、図２９中では、手動しおりフラグが立てられていることを示す情報を「手」の文字で示し、自動しおりフラグのみが立てられていることを示す情報を「自」の文字で示す。
【０１６３】
このように作成されたしおりリストに基づいて、しおり一覧表示処理のＳ２４０３では（図２７参照）、自動しおりフラグのみが立てられていることを示す情報あるいは手動しおりフラグが立てられていることを示す情報を取得し、図２６に示したようなしおり一覧画面を表示させる。
【０１６４】
このように、第二実施形態では、しおり一覧画面において、手動でしおり付したページと自動でのみしおりが付されたものを区別して表示することができるので、ユーザは自分で付与したしおりのページがいずれのページであるかを容易に確認することが出来る。
【０１６５】
次に第三実施形態について説明する。第三実施形態では図３０に示すように、上から順番に手動しおりフラグが立てられているページの一覧を表示し、その下に自動しおりフラグのみが立てられているページの一覧を表示する。
【０１６６】
また、図３０に示す例では、ページのタイトルの左に、手動しおりフラグが立てられていることを示す「手」の文字、若しくは、自動しおりフラグのみが立てられていることを示す「自」の文字が表示される。
【０１６７】
第三実施形態における表示制御装置１００の外観及び電気的構成は第一実施形態における表示制御装置１００の構成と同様であるので説明を省略する。また、その動作についても第一実施形態と同様のものについては説明を省略する。以下、第一実施形態と異なる部分についてのみ説明する。
【０１６８】
第三実施形態では手動しおりフラグが立てられているページのリストである手動しおりリストと、自動しおりフラグのみが立てられているページのリストである自動しおりリストを作成し、それら２つのしおりリストに基づいてしおり一覧画像を表示する。
【０１６９】
図３１に第三実施形態におけるしおり一覧表示処理のフローチャートを示す。しおり一覧表示処理を開始すると、先ず、しおり自動付与処理を実行する（Ｓ１４０１）。このしおり自動付与処理（Ｓ１４０１）は、第一実施形態におけるしおり自動付与処理と同様であるので説明を省略する。
【０１７０】
そして、しおりリストの生成処理を実行して、手動しおりリストと自動しおりリストの２つのしおりリストを生成する（Ｓ３４０２）。そして、自動しおりリスト及び手動しおりリストに基づいて、上から順番に手動しおりフラグが立てられているページの一覧を表示し、その下に自動しおりフラグのみが立てられているページの一覧を表示する（Ｓ３４０３）。
【０１７１】
第三実施形態におけるしおりリストの生成処理について説明する。第三実施形態におけるしおりリストの生成処理のフローチャートを図３２に示す。
【０１７２】
第一実施形態におけるＳ２４１、Ｓ２４７とＳ２４９（図２４参照）が第三実施形態では異なり、Ｓ２４１の代わりに後述のＳ３２４１を実行し、Ｓ２４７の代わりに後述のＳ３２４７を実行し、Ｓ２４９の代わりに後述のＳ３２４９を実行する。
【０１７３】
また、第一実施形態のＳ２４１では、自動も手動も共通のしおりリストの初期化を行なうだけであったが、第三実施形態のＳ３２４１では、手動しおりリストと、自動しおりリストの２つのリストがあるので、両方のしおりリストの初期化を行なう（Ｓ３２４１）。
【０１７４】
また、第一実施形態のＳ２４７では、（ｊ＋１）ページ目をしおりリストに追加したが、第三実施形態のＳ３２４７では、（ｊ+１）ページ目を手動しおりリストに追加する（Ｓ３２４７）。
【０１７５】
また、第二実施形態のＳ２４９では、（ｊ＋１）ページ目をしおりリストに追加したが、第二実施形態のＳ３２４９では、（ｊ+１）ページ目を自動しおりリストに追加する（Ｓ３２４９）。
【０１７６】
このように第三実施形態におけるしおりリスト生成処理により生成される手動しおりリストを図３３に示し、自動しおりリストを図３４に示す。図３３に示すように第三実施形態における手動しおりリストには、手動しおりフラグが立てられているページが並べられる。また、図３４に示す自動しおりリストには、自動しおりフラグのみが立てられているページが並べられる。
【０１７７】
このように作成された２つのしおりリストに基づいて、しおり一覧表示処理のＳ３４０３では（図２７参照）、上から順番に手動しおりフラグが立てられているページの一覧を表示自動し、その下にしおりフラグのみが立てられているページの一覧を表示する。
【０１７８】
このように、第三実施形態では、しおり一覧画面において、手動でしおりが付されたページが上に表示され、その下に自動でのみしおりが付されたページが表示されるので、ユーザは自分で付与したしおりのページがいずれのページであるかを容易に確認することが出来る。
【０１７９】
次に第四実施形態について説明する。第四実施形態では図３５及び図３６に示すように、手動しおりフラグが立てられているページの一覧と、自動しおりフラグのみが立てられているページの一覧とを別々に表示する。
【０１８０】
図３５は手動しおりフラグが立てられているページの一覧の画像である手動しおり一覧画像を表示した表示制御装置１００の正面図である。図３６は自動しおりフラグが立てられているページの一覧の画像である自動しおり一覧画像を表示した表示制御装置１００の正面図である。
【０１８１】
図３５及び図３６に示すように第四実施形態における表示制御装置１００は、しおり一覧ボタン４６の代わりに、手動しおり一覧ボタン４６ａと自動しおり一覧ボタン４６ｂとが設けられている。
【０１８２】
第四実施形態における表示制御装置１００の電気的構成は第一実施形態から第三実施形態における表示制御装置１００の構成と同様であるので説明を省略する。また、その動作についても第一実施形態から第三実施形態と同様のものについては説明を省略する。
【０１８３】
図３７は第四実施形態におけるキー入力待機処理のフローチャートである。Ｓ１０１からＳ１１２までの処理は第一実施形態のキー入力待機処理と同様であるので説明を省略する。
【０１８４】
Ｓ１１２にいて、手動しおり付与操作が行なわれなかったと判断した場合は（Ｓ１１２：ｎｏ）、手動しおり一覧表示操作が行なわれたか否か、即ち、手動しおり一覧ボタン４６ａが押下されたか否かを判断する（Ｓ４１１３）。
【０１８５】
手動しおり一覧表示操作が行なわれたと判断した場合（Ｓ４１１３：ｙｅｓ）、後述する手動しおり一覧表示処理を実行し（Ｓ４１１４）、メイン処理に戻る。
【０１８６】
手動しおり一覧表示操作が行なわれなかったと判断した場合（Ｓ４１１３：ｎｏ）、自動しおり一覧表示操作が行なわれたか否か、即ち、自動しおり一覧ボタン４６ｂが押下されたか否かを判断する（Ｓ４１１５）。
【０１８７】
自動しおり一覧表示操作が行なわれたと判断した場合（Ｓ４１１５：ｙｅｓ）、後述する自動しおり一覧表示操作を実行し（Ｓ４１１６）、メイン処理に戻る。
【０１８８】
自動しおり一覧表示操作が行なわれなかったと判断した場合は（Ｓ４１１５：ｎｏ）、そのままメイン処理に戻る。
【０１８９】
手動しおり一覧表示処理について説明する。図３８は手動しおり一覧表示処理のフローチャートである。
【０１９０】
手動しおり一覧表示処理を開始すると先ず、しおりリストの生成処理を実行する（Ｓ３４０２）。この第四実施形態のしおりリストの生成処理は、第三実施形態で説明したしおりリストの生成処理と同様であるので説明を省略する。
【０１９１】
Ｓ３０４２では、上述の第三実施形態において説明した手動しおりリストと自動しおりリストとが生成される
次に、Ｓ３０４２で生成された手動しおりリストに基づいて、手動しおり一覧画像を表示して（Ｓ４４０３）、キー入力待機処理に戻る。
【０１９２】
自動しおり一覧表示処理について説明する。図３９は自動しおり一覧表示処理のフローチャートである。
【０１９３】
自動しおり一覧表示処理を開始すると先ず、しおり自動付与処理を実行し（Ｓ１４０１）、しおりリストの生成処理を実行する（Ｓ３４０１）。この、第四実施形態におけるしおり自動付与処理は、第一実施形態で説明したしおり自動付与処理と同様であるので説明を省略する。また、第四実施形態のしおりリストの生成処理は、第三実施形態で説明したしおりリストの生成処理と同様であるので説明を省略する。
【０１９４】
Ｓ３０４１では、上述の第三実施形態において説明した手動しおりリストと自動しおりリストとが生成される
次に、Ｓ３０４１で生成された自動しおりリストに基づいて、自動しおり一覧画像を表示して（Ｓ４４０３）、キー入力待機処理に戻る。
【０１９５】
このように、第四実施形態では、図３５及び図３６に示すように、手動しおりフラグが立てられているページの一覧と、自動しおりフラグのみが立てられているページの一覧とを別々に表示するので、ユーザは自分で付与したしおりのページがいずれのページであるかを容易に確認することが出来る。
【０１９６】
次に第五実施形態について説明する。尚、第五実施形態においても、第一実施形態と異なる部分についてのみ説明する。
【０１９７】
第五実施形態では図１７に示したしおり決定テーブル３００を使用するのではなく、図４０に示すしおり決定テーブル３０５を使用する。
【０１９８】
しおり決定テーブル３０５について説明する。各コンテンツのページ毎に「拡大操作回数」、「操作日」、「評価値」、「自動しおりフラグ」、「手動しおりフラグ」を示す情報が対応付けて記憶されている。
【０１９９】
本実施形態の拡大表示操作処理のフローチャートを図４１に示す。第一実施形態における拡大表示操作処理とことなるところは、Ｓ１００４の後に、次に説明するＳ５００５を実行するところである。
【０２００】
Ｓ５００５において、拡大操作が実行された時刻を時計６０から取得し、その履歴をしおり決定テーブル３０５の「操作日」に記憶する。すなわち、「操作日」には、過去に拡大操作が実行された時刻が全て記憶されることになる。Ｓ５００５を終了するとキー入力待機処理に戻る（図１１参照）。
【０２０１】
尚、本実施形態においては説明を簡単にするために、拡大操作の回数のみに着目し、評価値を算出するものとして説明する。したがって、第一実施形態のように「総閲覧時間」、「戻る操作回数」については考慮していない。
【０２０２】
次に、第五実施形態における評価値の計算処理について説明する。図４２に第五実施形態における評価値の計算処理のフローチャートを示す。
【０２０３】
第一実施形態における評価値の計算処理と異なるところは、Ｓ４３３（第一実施形態）を実行する代わりに、次に説明するＳ５１〜Ｓ５５を実行することである。
【０２０４】
Ｓ４３２において、上述の変数ｉが全てのページよりも小さいと判断した場合（Ｓ４３２：ｙｅｓ）、先ず現在の時刻を時計６０から取得する（Ｓ５１）。
【０２０５】
次に、変数ｊに１をセットし、（ｉ＋１）番目のページの評価値を０にする（Ｓ５２）。
【０２０６】
次に、変数ｊが（ｉ＋１）番目のページに対応する拡大操作回数よりも小さいか否かを判断する（５３）。変数ｊが（ｉ＋１）番目のページに対応する拡大操作回数よりも小さい場合は（Ｓ５３：ｙｅｓ）、（ｉ＋１）番目のページに対応し、且つ、しおり付与テーブル３０５の「操作日」のｊ番目に記憶されている拡大操作の履歴の時刻と、Ｓ５１で取得した現在の時刻に基づいて、評価値の基になるある値を算出する。ここで、このある値は次のように算出される。
【０２０７】
先ず履歴の時刻と現在の時刻とに基づいて経過日数を算出する。例えば、履歴の時刻が「２００６／０２／０１  １２：０３」で、現在の時刻が「２００６／０２／０２  ０：２２」であったとすると経過日数は１として算出する。
【０２０８】
そして、上述のある値は１／（経過日数＋１）として算出する。即ち、「２００６／０２／０１  １２：０３」で、現在の時刻が「２００６／０２／０２  ０：２２」であった場合は経過日数が１であるので、ある値として１／２、即ち０．５が求められる。
【０２０９】
このように求めたある値を、現在記憶されている（ｉ＋１）番目の評価値に加算して、（ｉ＋１）番目の評価値を更新する（Ｓ５４）。
【０２１０】
次に、変数ｊの値を１増加させ（Ｓ５５）、Ｓ５３に戻る。このようにＳ５３において、変数ｊが拡大操作回数より大きくなるまで、Ｓ５３からＳ５５が繰り返されることにより、（ｉ＋１）番目の評価値が算出される。
【０２１１】
Ｓ５３において、変数ｊの値が拡大操作回数よりも大きいと判断された場合は（Ｓ４３４）は進み、変数ｉが１増加されるので、次のページの評価値が算出されることになる。
【０２１２】
このように第五実施形態によれば、操作日が古い拡大操作については、評価値の値に寄与する割合が小さくなるので、比較的現在の時刻に近い時刻に操作された拡大操作が多いページに自動しおりフラグがたれられ易くなる。
【０２１３】
上述の第一実施形態では、記憶媒体２００がしおり付与テーブル３００を記憶するものとして説明したが、表示制御装置１００にハードディスク等の補助記憶部を設け、そこにしおり付与テーブル３００を記憶するようにしても良い。または、表示制御装置１００にサーバと通信を行なう通信部を設け、外部のサーバにしおり付与テーブル３００を記憶するようにしても良い。
【０２１４】
また、上述の第一実施形態では、コンテンツファイル毎に最大しおり数が設定されているものとして説明したが、コンテンツファイル毎に最大しおり数を設定するのではなく、記憶媒体２００に記憶されている全てのコンテンツファイルに共通に最大しおり数を設定して、コンテンツファイル毎の自動しおりフラグが立てられるページの数の合計がその最大しおり数を超えないように制御しても良い。
【０２１５】
また、上述の第一実施形態では、評価値に基づいて自動しおりフラグを立てるものとして説明したが、評価値を算出せずに、拡大操作等の特定の操作が一度でも行なわれたらそのページに自動しおりフラグを立てるようにしても良い。
【０２１６】
また、上述の第一実施形態では、「総閲覧時間」、「拡大操作回数」、「戻る操作回数」の値に基づいて算出される評価値に基づいて、自動しおりフラグを立てるものとして説明したが、「総閲覧時間」だけに基づいて評価値を算出してもよい。また、「拡大操作回数」だけに基づいて評価値を算出してもよい。また、「戻る操作回数」だけに基づいて評価値を算出してもよい。
【０２１７】
また、上述の第一実施形態では、しおり一覧の表示順序はコンテンツ毎のページ数が若い順としているが、算出した評価値を用いて評価値順にソートして一覧表示しても良い。その場合には、コンテンツ毎に評価値順としても良いし、全てのしおりの間での評価値順としても良い。
【０２１８】
また、上述の第一実施形態では、しおり一覧表示操作が行なわれたときに、評価値に基づいて第一しおりページを自動的に設定するものとして説明したが、常に評価値を監視し評価値が更新されるたびに第一しおりページを設定するようにしても良い。しかし、常に評価値を監視し評価値が更新されるたびに第一しおりページを設定する場合は、処理の負荷が余分にかかる。
【０２１９】
また、上述の第五実施形態では、拡大操作回数に応じて評価値を算出したが他の操作の操作回数に応じて評価値を算出しても良い。例えば戻り操作回数に応じて、その経過日数を考慮して評価値を算出して良い。
【０２２０】
また、本発明でいう表示制御装置とは、第一実施形態のように、画像を表示させる表示手段を一体に備えていても良いし、デスクトップ型のＰＣのように別体の表示手段に表示させる画像を制御するものでも良い。
【図面の簡単な説明】
【０２２１】
【図１】表示制御装置１００を正面から見たときの概観図。
【図２】表示制御装置１００の電気的構成を示すブロック図。
【図３】コンテンツファイルの一例の構成を示す模式図。
【図４】しおり付与テーブル３００の構成を模式的に示す模式図。
【図５】目次画像を表示した表示制御装置１００の正面図。
【図６】コンテンツ画像を表示した表示制御装置１００の正面図。
【図７】拡大表示画像を表示した表示制御装置１００の正面図。
【図８】この手動しおりマーク９９が印されたページを表示した表示制御装置１００の正面図。
【図９】しおり一覧画像を表示した表示制御装置１００の正面図。
【図１０】メイン処理のフローチャート。
【図１１】キー入力待機処理のフローチャート。
【図１２】十字キーの上下操作処理のフローチャート。
【図１３】決定ボタン処理のフローチャート。
【図１４】ページめくり実行処理のフローチャート。
【図１５】拡大表示操作処理のフローチャート。
【図１６】手動しおり付与処理のフローチャート。
【図１７】書籍Ａの３ページ目に「手動しおりフラグ」が立てられたしおり付与テーブル３００。
【図１８】しおり一覧表示処理のフローチャート。
【図１９】自動しおり付与処理のフローチャート。
【図２０】評価値の計算処理のフローチャート。
【図２１】しおり付与処理のフローチャート。
【図２２】書籍Ａに対して作成した評価値順リスト。
【図２３】書籍Ａに対して「自動しおりフラグ」が立てられたしおり付与テーブル３００。
【図２４】しおりリストの生成処理のフローチャート。
【図２５】しおりリストの生成処理により生成されるしおりリストの一例。
【図２６】第二実施形態におけるしおり一覧画像を表示した表示制御装置１００の正面図。
【図２７】第二実施形態におけるしおり一覧表示処理のフローチャート。
【図２８】第二実施形態におけるしおりリストの生成処理のフローチャート。
【図２９】第二実施形態におけるしおりリスト。
【図３０】第三実施形態におけるしおり一覧画像を表示した表示制御装置１００の正面図。
【図３１】第三実施形態におけるしおり一覧表示処理のフローチャート。
【図３２】第三実施形態におけるしおりリストの生成処理のフローチャート。
【図３３】第三実施形態におけるしおりリスト生成処理により生成される手動しおりリスト。
【図３４】第三実施形態におけるしおりリスト生成処理により生成される自動しおりリスト。
【図３５】手動しおり一覧画像を表示した表示制御装置１００の正面図。
【図３６】自動しおり一覧画像を表示した表示制御装置１００の正面図。
【図３７】第四実施形態におけるキー入力待機処理のフローチャート。
【図３８】手動しおり一覧表示処理のフローチャート。
【図３９】自動しおり一覧表示処理のフローチャート。
【図４０】第五実施形態におけるしおり付与テーブル３０５。
【図４１】第五実施形態における拡大表示操作処理のフローチャート。
【図４２】第五実施形態における評価値の計算処理のフローチャート。
【符号の説明】
【０２２２】
２０  表示パネル
３０  枠体
４０  操作部
４１  十字キー
４２  決定ボタン
４３  目次ボタン
４４  拡大ボタン
４５  手動しおり付与ボタン
４６  しおり一覧ボタン
４６ａ  手動しおり一覧ボタン
４６ｂ  自動しおり一覧ボタン
５０  ＣＰＵ
５１  ＲＯＭ
５２  ＲＡＭ
６０  時計
９０  読込部
１００  表示制御装置
２００  記憶媒体
３００、３０５  しおり付与テーブル
【図１】
2007264752.tif 000003
【図２】
2007264752.tif 000004
【図３】
2007264752.tif 000005
【図４】
2007264752.tif 000006
【図５】
2007264752.tif 000007
【図６】
2007264752.tif 000008
【図７】
2007264752.tif 000009
【図８】
2007264752.tif 000010
【図９】
2007264752.tif 000011
【図１０】
2007264752.tif 000012
【図１１】
2007264752.tif 000013
【図１２】
2007264752.tif 000014
【図１３】
2007264752.tif 000015
【図１４】
2007264752.tif 000016
【図１５】
2007264752.tif 000017
【図１６】
2007264752.tif 000018
【図１７】
2007264752.tif 000019
【図１８】
2007264752.tif 000020
【図１９】
2007264752.tif 000021
【図２０】
2007264752.tif 000022
【図２１】
2007264752.tif 000023
【図２２】
2007264752.tif 000024
【図２３】
2007264752.tif 000025
【図２４】
2007264752.tif 000026
【図２５】
2007264752.tif 000027
【図２６】
2007264752.tif 000028
【図２７】
2007264752.tif 000029
【図２８】
2007264752.tif 000030
【図２９】
2007264752.tif 000031
【図３０】
2007264752.tif 000032
【図３１】
2007264752.tif 000033
【図３２】
2007264752.tif 000034
【図３３】
2007264752.tif 000035
【図３４】
2007264752.tif 000036
【図３５】
2007264752.tif 000037
【図３６】
2007264752.tif 000038
【図３７】
2007264752.tif 000039
【図３８】
2007264752.tif 000040
【図３９】
2007264752.tif 000041
【図４０】
2007264752.tif 000042
【図４１】
2007264752.tif 000043
【図４２】
2007264752.tif 000044